(57)【要約】【課題】  光学フィルム、これを有するバックライトアセンブリ、及び表示装置が開示される。【解決手段】  光学フィルムは、ベース層、樹脂層、及び中空粒子を含む。樹脂層は、ベース層の一面に形成される。中空粒子は、樹脂層に混入され形成される。これによって、ベース層上に微細な中空粒子をポリウレタン樹脂と共にコーティングさせることによって、光学フィルムの厚さを薄くし、光学フィルムの拡散性と反射性を向上させることができる。【選択図】    図４
2006106736.tif 000002
【特許請求の範囲】
【請求項１】
ベース層と、
前記ベース層の一面に形成された樹脂層と、
前記樹脂層に混入された中空粒子と、を含む光学フィルム。
【請求項２】
前記樹脂層は、ポリウレタン系樹脂からなることを特徴とする請求項１記載の光学フィルム。
【請求項３】
前記中空粒子は、前記中空粒子に提供された光の波長によって決定された直径を有することを特徴とする請求項１記載の光学フィルム。
【請求項４】
前記中空粒子の直径は、２．９λ／２〜３．１λ／２であり、前記λは、前記中空粒子に提供された光の波長であることを特徴とする請求項１記載の光学フィルム。
【請求項５】
前記中空粒子の直径は、６５．２Å〜１００．７Åであることを特徴とする請求項４記載の光学フィルム。
【請求項６】
前記中空粒子の表皮の厚さは、０．４９λ〜０．５１λであり、前記λは、前記中空粒子に提供された光の波長であることを特徴とする請求項１記載の光学フィルム。
【請求項７】
前記中空粒子の表皮の厚さは、２２Å〜３３．１Åであることを特徴とする請求項６記載の光学フィルム。
【請求項８】
前記ベース層は、ポリエチレンテレフタレート（ＰＥＴ）系樹脂からなることを特徴とする請求項１記載の光学フィルム。
【請求項９】
前記ベースの下面に形成された金属層を更に含むことを特徴とする請求項１記載の光学フィルム。
【請求項１０】
前記金属層の上面に形成された保護膜を更に含むことを特徴とする請求項９記載の光学フィルム。
【請求項１１】
前記中空粒子は、前記中空粒子の内部空間を定義する表皮を含み、
前記表皮は、前記内部空間と異なる屈折率を有する第１樹脂を含み、
前記中空粒子は、前記第１樹脂と前記内部空間との間の屈折率の差異によって前記中空粒子に提供される光を反射することを特徴とする請求項１記載の光学フィルム。
【請求項１２】
前記樹脂層は第２樹脂を含み、前記樹脂層は、前記第１樹脂と前記第２樹脂との間の屈折率の差異によって前記樹脂層に提供された光を反射することを特徴とする請求項１１記載の光学フィルム。
【請求項１３】
前記第１樹脂は、透明な材質からなることを特徴とする請求項１１記載の光学フィルム。
【請求項１４】
前記中空粒子は、前記中空粒子の内部空間を定義する表皮を含み、
前記表皮は、前記内部空間と異なる屈折率を有する第１樹脂を含み、
前記中空粒子は、前記第１樹脂と前記内部空間との屈折率の差異によって前記中空粒子に提供された光を透過することを特徴とする請求項１記載の光学フィルム。
【請求項１５】
前記中空粒子は、ボール形状の表皮を含み、前記表皮を通じて前記中空粒子に提供される光を拡散させることを特徴とする請求項１記載の光学フィルム。
【請求項１６】
前記中空粒子の外表面は、前記中空粒子に提供される光を透過及び反射することを特徴とする請求項１記載の光学フィルム。
【請求項１７】
前記中空粒子の内表面は、前記中空粒子に提供される光を透過及び反射することを特徴とする請求項１記載の光学フィルム。
【請求項１８】
前記樹脂層は、前記中空粒子と同じ物質からなることを特徴とする請求項１記載の光学フィルム。
【請求項１９】
前記樹脂層は、前記中空粒子と同じ屈折率を有することを特徴とする請求項１記載の光学フィルム。
【請求項２０】
前記第１樹脂層は、前記中空粒子と異なる屈折率を有することを特徴とする請求項１記載の光学フィルム。
【請求項２１】
光を発散するランプと、
ベース層、前記ベース層の一面に形成された樹脂層、及び前記樹脂層内に含まれた多数の中空粒子を含み、前記ランプからの前記光を反射して、前記光の特性を向上させる光学フィルムと、を含むバックライトアセンブリ。
【請求項２２】
前記ランプと光学フィルムとの間に介在され、前記ランプから出射された光と前記光学フィルムで反射された光の経路をガイドして出射する導光板を更に含むことを特徴とする請求項２１記載のバックライトアセンブリ。
【請求項２３】
光を発生する光源と、
液晶層に印加される電位差を利用して、画像を表示する液晶パネルと、
ベース層、前記ベース層上に形成された樹脂層、及び前記樹脂層に含まれた多数の中空粒子を含み、前記光源からの前記光を前記液晶パネル側に反射する光学フィルムと、を含む表示装置。
【請求項２４】
画像を表示する少なくとも２個の表示パネルと、
前記表示パネルに提供される光を発生し、前記光を前記表示パネル側に反射するための反射シートを含み、前記反射シートは、ベース層、及び前記ベース層上に形成され内部に多数の中空粒子を含む樹脂層からなる少なくとも１個のバックライトアセンブリと、を含む表示装置。
【請求項２５】
前記反射シートは、
前記ベース層の下に形成された光反射用金属層と、
前記光反射用金属層の下に形成された保護層と、を更に含むことを特徴とする請求項２４記載の表示装置。
【請求項２６】
前記バックライトアセンブリは、光を供給する光源を更に含み、前記光源から供給された光は、前記反射シートの各層のうち、前記樹脂層に第一に入射されることを特徴とする請求項２５記載の表示装置。
【請求項２７】
前記中空粒子の表皮は、透明な樹脂で形成されることを特徴とする請求項２４記載の表示装置。
【請求項２８】
前記樹脂層は、前記中空粒子の表皮と異なる屈折率を有することを特徴とする請求項２７記載の表示装置。
【請求項２９】
前記ベース層はポリエチレンテレフタレートを含み、前記樹脂層はポリウレタンを含むことを特徴とする請求項２４記載の表示装置。
【請求項３０】
前記バックライトアセンブリは、第１バックライトアセンブリ、及び前記第１バックライトアセンブリよりサイズが小さい第２バックライトアセンブリを含み、
前記反射シートは、前記第１バックライトアセンブリの第１反射シート、及び前記第２バックライトアセンブリの第２反射シートを含み、
前記第１反射シートは、前記第２反射シートと接触していることを特徴とする請求項２４記載の表示装置。
【請求項３１】
前記表示パネルは、少なくとも一つの液晶表示パネルを含むことを特徴とする請求項２４記載の表示装置。
【請求項３２】
前記表示装置と前記バックライトアセンブリは、携帯電話用であることを特徴とする請求項２４記載の表示装置。
【発明の詳細な説明】
【技術分野】
【０００１】
本発明は光学フィルムに関し、より詳細には、光学フィルム、これを有するバックライトアセンブリ、及び表示装置に関する。
【背景技術】
【０００２】
一般に、液晶表示装置は自己発光しないため、液晶パネルを透過した外来光を反射させて情報を表示するか、又は前記液晶パネルの背面に別の光源、即ち、バックライトアセンブリを設けて情報を表示する。
このようなバックライトアセンブリは、光を発散させるランプユニット、前記ランプユニットから発散された光を液晶パネル側にガイドする導光板、前記導光板の下部に具備され漏洩する光を前記導光板側に反射させる反射板（リフレクター又は反射シート、反射フィルム）、前記導光板から伝達された光の輝度を上昇させる光学シート類を含んで構成される。
【０００３】
図１乃至図３は、一般的な光学フィルムを示す断面図である。特に、図１は拡散型反射シートを示し、図２は積層型反射シートを示し、図３は金属蒸着フィルムを示す。
図１を参照すると、拡散型反射シートのポリエチレンテレフタレート（ＰＥＴ）１０には、気泡のような空気層が含まれた空間１２が形成され、前記ＰＥＴ１０の一面には第１保護ＰＥＴ１４が配置され、前記ＰＥＴ１０の他面には第２保護ＰＥＴ１６が配置され、空気層とＰＥＴの屈折率の差異を利用して、拡散反射動作を行う。しかし、前記拡散型反射シートは、製造単価を減少させながら、拡散性を向上させることができるが、反射率が低く、厚さが厚いという短所がある。
【０００４】
図２を参照すると、積層型反射シートは、複数の等方性物質の薄膜２０、２４、２８の間に互いに異なる屈折率の薄膜２２、２６が介在され形成され、正反射動作を行う。又、前記積層型反射シートは、反射率は高く、厚さは薄いが、拡散性が低いという短所がある。
図３を参照すると、金属蒸着フィルムは、ＰＥＴ３０の一面に銀が蒸着され、銀蒸着層３２上に保護膜３４が塗布され、正反射動作を行う。又、前記金属蒸着フィルムは、反射率と拡散性が低いという短所がある。
【発明の開示】
【発明が解決しようとする課題】
【０００５】
本発明の技術的課題はこのような点を勘案したもので、本発明の目的は、厚さが薄く、拡散性と反射性を向上させるための光学フィルムを提供することにある。
本発明の他の目的は、前記した光学フィルムを有するバックライトアセンブリを提供することにある。
本発明の更に他の目的は、前記した光学フィルムを有する表示装置を提供することにある。
【課題を解決するための手段】
【０００６】
本発明の目的を実現するために、一実施例による光学フィルムは、ベース層、樹脂層、及び中空粒子を含む。前記樹脂層は、前記ベース層の一面に形成される。前記中空粒子は、前記樹脂層に混入され形成される。
中空粒子はその内部に中空部を有しており、この中空部と中空粒子を形成する樹脂との間の屈折率の差異を利用して、中空粒子に提供された光を反射するとともに、光を透過する。よって、拡散性と反射性が向上された光学フィルムを提供することができる。また、この光学フィルムを用いることで、厚みが薄くても拡散性及び反射性を向上することができる。よって、光学フィルムが適用される、例えば液晶表示装置において装置全体をコンパクト化することができる。
【０００７】
本願第２発明は、第１発明において、前記樹脂層は、ポリウレタン系樹脂からなることを特徴とする光学フィルムを提供する。
本願第３発明は、第１発明において、前記中空粒子は、前記中空粒子に提供された光の波長によって決定された直径を有することを特徴とする光学フィルムを提供する。
例えば、赤、緑、青などの色の波長に応じた直径とすることで、より反射効率を向上することができる。
【０００８】
本願第４発明は、第１発明において、前記中空粒子の直径は、２．９λ／２〜３．１λ／２であり、前記λは、前記中空粒子に提供された光の波長であることを特徴とする光学フィルムを提供する。
本願第５発明は、第４発明において、前記中空粒子の直径は、６５．２Å〜１００．７Åであることを特徴とする光学フィルムを提供する。
【０００９】
本願第６発明は、第１発明において、前記中空粒子の表皮の厚さは、０．４９λ〜０．５１λであり、前記λは、前記中空粒子に提供された光の波長であることを特徴とする光学フィルムを提供する。
本願第７発明は、第６発明において、前記中空粒子の表皮の厚さは、２２Å〜３３．１Åであることを特徴とする光学フィルムを提供する。
【００１０】
本願第８発明は、第１発明において、前記ベース層は、ポリエチレンテレフタレート（ＰＥＴ）系樹脂からなることを特徴とする光学フィルムを提供する。
本願第９発明は、第１発明において、前記ベースの下面に形成された金属層を更に含むことを特徴とする光学フィルムを提供する。
反射シートは金属層を更に含むので、樹脂層を通過した光を反射させて、光の損失を最小化することができ、反射効率をさらに向上することができる。
【００１１】
本願第１０発明は、第９発明において、前記金属層の上面に形成された保護膜を更に含むことを特徴とする光学フィルムを提供する。
反射シートは保護層を更に含むので、反射シートの耐久性を向上させることができる。
本願第１１発明は、第１発明において、前記中空粒子は、前記中空粒子の内部空間を定義する表皮を含み、前記表皮は、前記内部空間と異なる屈折率を有する第１樹脂を含み、前記中空粒子は、前記第１樹脂と前記内部空間との間の屈折率の差異によって前記中空粒子に提供される光を反射することを特徴とする光学フィルムを提供する。
【００１２】
前記中空粒子は第１樹脂を含み、前記中空粒子の内部に形成された内部空間と前記第１樹脂との間の屈折率の差異を利用して、前記中空粒子に提供された光を反射する。よって、拡散性と反射性が向上された光学フィルムを提供することができる。また、この光学フィルムを用いることで、厚みが薄くても拡散性及び反射性を向上することができる。よって、光学フィルムが適用される、例えば液晶表示装置において装置全体をコンパクト化することができる。
【００１３】
本願第１２発明は、第１１発明において、前記樹脂層は第２樹脂を含み、前記樹脂層は、前記第１樹脂と前記第２樹脂との間の屈折率の差異によって前記樹脂層に提供された光を反射することを特徴とする光学フィルムを提供する。
中空粒子を構成する第１樹脂と樹脂層を構成する第２樹脂との屈折率の差によって、樹脂層に提供された光をより反射することができ、さらに拡散性と反射性が向上された光学フィルムを提供することができる。
【００１４】
本願第１３発明は、第１１発明において、前記第１樹脂は、透明な材質からなることを特徴とする光学フィルムを提供する。
中空粒子を構成する第１樹脂を透明な材質で形成することで、中空粒子に導入された光が吸収されるのを防ぎ、より光の拡散性と反射性を向上することができる。
本願第１４発明は、第１発明において、前記中空粒子は、前記中空粒子の内部空間を定義する表皮を含み、前記表皮は、前記内部空間と異なる屈折率を有する第１樹脂を含み、前記中空粒子は、前記第１樹脂と前記内部空間との屈折率の差異によって前記中空粒子に提供された光を透過することを特徴とする光学フィルムを提供する。
【００１５】
前記中空粒子は第１樹脂を含み、前記中空粒子の内部に形成された内部空間と前記第１樹脂との間の屈折率の差異を利用して、前記中空粒子に提供された光を透過する。よって、中空粒子に導入された光が吸収されるのを防ぎ、より光の拡散性と反射性を向上することができる。
本願第１５発明は、第１発明において、前記中空粒子は、ボール形状の表皮を含み、前記表皮を通じて前記中空粒子に提供される光を拡散させることを特徴とする光学フィルムを提供する。
【００１６】
本願第１６発明は、第１発明において、前記中空粒子の外表面は、前記中空粒子に提供される光を透過及び反射することを特徴とする光学フィルムを提供する。
中空粒子の外表面による反射により、中空粒子に入射される光の反射効率を高めることができる。
本願第１７発明は、第１発明において、前記中空粒子の内表面は、前記中空粒子に提供される光を透過及び反射することを特徴とする光学フィルムを提供する。
【００１７】
中空粒子の内表面による反射により、中空粒子の外部で反射されずに内部に入射された光を反射率することができる。これにより、さらに反射効率を高めることができる。
本願第１８発明は、第１発明において、前記樹脂層は、前記中空粒子と同じ物質からなることを特徴とする光学フィルムを提供する。
本願第１９発明は、第１発明において、前記樹脂層は、前記中空粒子と同じ屈折率を有することを特徴とする光学フィルムを提供する。
【００１８】
本願第２０発明は、第１発明において、前記第１樹脂層は、前記中空粒子と異なる屈折率を有することを特徴とする光学フィルムを提供する。
樹脂層と中空粒子との屈折率の差異により、さらに反射率及び透過率を高めることができる。
本願第２１発明は、光を発散するランプと、ベース層、前記ベース層の一面に形成された樹脂層、及び前記樹脂層内に含まれた多数の中空粒子を含み、前記ランプからの前記光を反射して、前記光の特性を向上させる光学フィルムと、を含むバックライトアセンブリを提供する。
【００１９】
本願第２２発明は、第２１発明において、前記ランプと光学フィルムとの間に介在され、前記ランプから出射された光と前記光学フィルムで反射された光の経路をガイドして出射する導光板を更に含むことを特徴とするバックライトアセンブリを提供する。
本願第２３発明は、光を発生する光源と、液晶層に印加される電位差を利用して、画像を表示する液晶パネルと、ベース層、前記ベース層上に形成された樹脂層、及び前記樹脂層に含まれた多数の中空粒子を含み、前記光源からの前記光を前記液晶パネル側に反射する光学フィルムと、を含む表示装置を提供する。
【００２０】
本願第２４発明は、画像を表示する少なくとも２個の表示パネルと、前記表示パネルに提供される光を発生し、前記光を前記表示パネル側に反射するための反射シートを含み、前記反射シートは、ベース層、及び前記ベース層上に形成され内部に多数の中空粒子を含む樹脂層からなる少なくとも１個のバックライトアセンブリと、を含む表示装置を提供する。
【００２１】
本願第２５発明は、第２４発明において、前記反射シートは、前記ベース層の下に形成された光反射用金属層と、前記光反射用金属層の下に形成された保護層と、を更に含むことを特徴とする表示装置を提供する。
本願第２６発明は、第２５発明において、前記バックライトアセンブリは、光を供給する光源を更に含み、前記光源から供給された光は、前記反射シートの各層のうち、前記樹脂層に第一に入射されることを特徴とする表示装置を提供する。
【００２２】
本願第２７発明は、第２４発明において、前記中空粒子の表皮は、透明な樹脂で形成されることを特徴とする表示装置を提供する。
本願第２８発明は、第２７発明において、前記樹脂層は、前記中空粒子の表皮と異なる屈折率を有することを特徴とする表示装置を提供する。
本願第２９発明は、第２４発明において、前記ベース層はポリエチレンテレフタレートを含み、前記樹脂層はポリウレタンを含むことを特徴とする表示装置を提供する。
【００２３】
本願第３０発明は、第２４発明において、前記バックライトアセンブリは、第１バックライトアセンブリ、及び前記第１バックライトアセンブリよりサイズが小さい第２バックライトアセンブリを含み、前記反射シートは、前記第１バックライトアセンブリの第１反射シート、及び前記第２バックライトアセンブリの第２反射シートを含み、前記第１反射シートは、前記第２反射シートと接触していることを特徴とする表示装置を提供する。
【００２４】
本願第３１発明は、第２４発明において、前記表示パネルは、少なくとも一つの液晶表示パネルを含むことを特徴とする表示装置を提供する。
本願第３２発明は、第２４発明において、前記表示装置と前記バックライトアセンブリは、携帯電話用であることを特徴とする表示装置を提供する。
【発明の効果】
【００２５】
このような光学フィルム、これを有するバックライトアセンブリ、及び表示装置によると、ベース層上に微細な中空粒子をコーティングさせることによって、厚さを薄くして、拡散性と反射性を向上させることができる。
【発明を実施するための最良の形態】
【００２６】
以下、添付図面を参照して、本発明をより詳細に説明する。
図４は、本発明の一実施例による光学フィルムを示す断面図であり、図５は、図４の単位中空粒子を示す断面図である。
図４及び図５を参照すると、光学フィルムは、ベース層４１、前記ベース層４１の一面に形成された樹脂層４２、前記樹脂層４２に混入され形成された中空粒子４３、前記ベース層４１の他面に形成された金属層４４及び前記金属層４４の表面に形成された保護膜４５を含む。
【００２７】
前記ベース層４１は、ポリエチレンテレフタレート（ＰＥＴ）材質からなる。
前記樹脂層４２は、ポリウレタン材質からなる。
前記中空粒子４３は、ラウンドされた形状又はボール形状の外表面を具備し、前記した外表面を通じて外部から入射される光を拡散反射させる。前記ボール形状は、断面の直径が同じボールでも良く、断面の直径が互いに異なる楕円形状でも良い。前記中空粒子４３の直径は、反射効率を向上しようとする光の波長を考慮して選定されることが好ましい。具体的に、レッド光に最適な反射効率を得ようとすると、６５０ｎｍに対応する直径の中空粒子を選定することが好ましく、グリーン光に最適な反射効率を得ようとすると、５５０ｎｍに対応する直径の中空粒子を選定することが好ましく、ブルー光に最適な反射効率を得ようとすると、４５０ｎｍに対応する直径の中空粒子を選定することが好ましい。
【００２８】
例えば、前記中空粒子４３の直径は、２．９×λ／２乃至３．１×λ／２である。好ましくは、前記中空粒子の直径は３λ／２である。前記λは光の波長であって、標準光（５５０ｎｍの波長帯を有するグリーン光）である。例えば、中空粒子の直径は、６５．２Å〜１００．７Åである。また、例えば、レッド光の波長が６５０ｎｍであれば、前記中空粒子の直径は９７．５Åであり、グリーン光の波長が５５０ｎｍであれば、前記中空粒子の直径は８２．５Åであり、ブルー光の波長が４５０ｎｍであれば、前記中空粒子の直径は６７．５Åである。
【００２９】
前記中空粒子４３の表皮の厚さは、０．４９λ〜０．５１λであることが好ましい。この際、前記中空粒子４３の表皮の厚さは、２２Å〜３３．１Åであることが好ましい。
前記中空粒子４３は第１樹脂４３ａを含み、前記中空粒子４３の内部に形成された内部空間４３ｂと前記第１樹脂４３ａとの間の屈折率の差異を利用して、前記中空粒子に提供された光を反射する。前記樹脂層４２は第２樹脂からなり、前記第１樹脂の屈折率と前記第２樹脂の屈折率との差異によって光を反射する。前記第２樹脂は、透明な材質からなる。
【００３０】
前記中空粒子４３は、前記第１樹脂と前記内部空間４３ｂとの間の屈折率の差異によって、前記中空粒子４３に提供された光を透過する。
前記金属層４４は、銀やアルミニウムのように、反射効率に優れた材質からなる。
一方、前記中空粒子４３の外表面及び内表面のそれぞれは、下記する図６のように光を透過及び反射する。
【００３１】
図６は、単位中空粒子による反射／透過動作を説明するための概念図である。
図６を参照すると、中空粒子４３の外表面の一側に入射された第１光ＬＩ１の中、一部光ＬＲ１は第１入射角θｉ１１と同じ角度を有して反射され、残りの一部光ＬＴ１は、前記第１入射角θｉ１１より小さい角度の第１透過角θｔ１１を有して透過される。
前記中空粒子４３の内表面に入射された光ＬＴ１のうち、一部光ＬＴＲ１は第２入射角θｉ１２と同じ角度を有して反射され、残りの一部光ＬＴＴ１は前記第２入射角θｉ１２より大きい角度の第２透過角θｔ１２を有して透過される。
【００３２】
一方、前記中空粒子４３の外表面の他の一側に入射された第２光ＬＩ２のうち、一部光ＬＲ２は第３入射角θｉ２１と同じ角度を有して反射され、残りの一部光ＬＴ２は前記第３入射角θｉ２１より小さい角度の第３透過角θｔ２１を有して透過される。
前記中空粒子４３の内表面に入射された光ＬＴ２のうち、一部光ＬＴＲ２は第２入射角θｉ２２と同じ角度を有して反射され、残りの一部光ＬＴＴ２は前記第４入射角θｉ２２より大きい角度の第４透過角θｔ２２を有して透過される。
【００３３】
以上で説明したように、本発明による中空粒子がラウンドされた形状又はボール形状の外表面を有するので、入射される光をより効率的に拡散反射させることができる。また、中空粒子が内部に空間を有することによっても、入射光をより効率的に拡散反射することができる。
図７乃至図９は、比較例と本発明による光学フィルムの反射視野角特性を示すグラフである。特に、図７は、第１拡散型反射シート（日本Ｔｏｒａｙ社のＥ６０Ｌ）の反射視野角特性を示すグラフであり、図８は、第２拡散型反射シート（日本Ｉｄｅｍｉｔｓｕ社のＭＣＰＥＴ）の反射視野角特性を示すグラフであり、図９は、本発明による反射シートの反射視野角特性を示すグラフである。前記した光学フィルムの反射による視野角特性の測定は、フランスＥＬＤＩＭ社のＥＺコントラスト１６０Ｒという装備を利用し、正面対比１０°の傾斜角を有するように光を入射させて測定したグラフである。図面で斜線が暗くなるほど、反射光が少ない領域を意味し、前記した斜線領域から離れるほど、反射光が相対的に多い領域を意味する。
【００３４】
図７乃至図９を参照すると、反射視野角面において、図７の第１拡散型反射シートは、図８の第２拡散型反射シートより優れる。しかし、本発明による図９の反射シートは、第１拡散型反射シートに対して、反射光が相対的に多い領域がさらに多く、非常に優れることが確認できる。
図１０乃至図１２は、比較例と本発明による光学フィルムの反射角特性を示すグラフである。特に、図１０は、第１拡散型反射シート（製品名：Ｅ６０Ｌ）の反射角特性を示すグラフであり、図１１は、第２拡散型反射シート（製品名：ＭＣＰＥＴ）の反射角特性を示すグラフであり、図１２は、本発明による反射シートの反射角特性を示すグラフである。
【００３５】
図１０乃至図１２を参照すると、第１拡散型反射シートは、反射強度が相対的に高い部分の面積が第２拡散型反射シートより大きく、反射角特性面において優れる。しかし、本発明による反射シートは、第１拡散型反射シートに対して。さらに反射強度が相対的に高い部分の面積が大きく、非常に優れることが確認できる。
前記した反射視野角特性をより円滑に表現するために、垂直方向の反射視野角を示すと、下記する図１３乃至図１５のようであり、水平方向の反射視野角を示すと、下記する図１６乃至図１８のようである。
【００３６】
図１３乃至図１５は、比較例と本発明による光学フィルムの垂直方向の反射視野角特性を示すグラフである。特に、図１３は、第１拡散型反射シート（製品名：Ｅ６０Ｌ）の垂直方向の反射視野角特性を示すグラフであり、図１４は、第２拡散型反射シート（製品名：ＭＣＰＥＴ）の垂直方向の反射視野角特性を示すグラフであり、図１５は、本発明による反射シートの垂直方向の反射視野角特性を示すグラフである。
【００３７】
図１６乃至図１８は、比較例と本発明による光学フィルムの水平方向の反射視野角特性を示すグラフである。特に、図１６は、第１拡散型反射シート（製品名：Ｅ６０Ｌ）の水平方向の反射視野角特性を示すグラフであり、図１７は、第２拡散型反射シート（製品名：ＭＣＰＥＴ）の水平方向の反射視野角特性を示すグラフであり、図１８は、本発明による反射シートの水平方向の反射視野角特性を示すグラフである。
【００３８】
図１３乃至図１５に示すように、垂直方向の反射視野角において、本発明による反射シート、第１拡散型反射シート、第２拡散型反射シートの順に反射強度が視野角全体にわたって強くなっている。また、図１６乃至図１８に示すように、水平方向の反射視野角において、本発明による反射シート、第１拡散型反射シート、第２拡散型反射シートの順に反射強度が視野角全体にわたって強くなっている。つまり、本発明による反射シートは、垂直方向及び水平方向ともに反射視野角が優れていることが分かる。
【００３９】
図１９は、輝度測定方法を説明する概念図であり、図２０は、１時間経過後にテスト基板にマッピングされたテストポイントを示す図である。前記テスト基板には、９×９マトリックス形態として総８１個のマッピングポイントを図示する。前記した輝度測定は、日本のＨＩ−ＬＡＮＤ社で製造した輝度、色度の斑検査システムであるリサ（ＲＩＳＡ）システムを利用して測定する。図面で斜線が暗くなるほど、反射光が少ない領域を意味し、前記した斜線領域から離れるほど、反射光が相対的に多い領域を意味する。
【００４０】
図１９及び図２０を参照すると、複数のランプ５０が配列され、前記ランプ５０の下部には反射シート５２が配置され、前記ランプ５０の上部には拡散板５４が配置される。前記ランプ５０は直径が１．８ｍｍであり、長さが９１ｍｍである冷陰極線管（ＣＣＦＬ：Cold Cathode Fluorescent Lamp）であり、前記拡散板５４の厚さは２ｍｍである。前記反射シートは、液晶表示装置に使用される一般的な反射シートと本発明による反射シートである。
【００４１】
ランプに電圧を印加して、１時間後にテスト基板のマッピングポイントにマッピングされた輝度を測定した。これを示すと、下記する表１のようである。
【００４２】
【表１】
2006106736.tif 000003
前記した表１において、比較例１や比較例２は、図１に図示した拡散型反射シートであり、比較例３は、図２に図示した積層型反射シートである。
前記した表１に示すように、厚さの面において、第１拡散型反射シート、第２拡散型反射シート、及び積層型反射シートがそれぞれ９７５μｍ、１８８μｍ、６５μｍである反面、本発明の反射シートの厚さは６５μｍなので、厚さの面において、薄いことが確認できる。
【００４３】
又、８１個のマッピングポイント対比４９個のマッピングポイントの相対的な輝度比較面において、第１拡散型反射シート、第２拡散型反射シート、及び積層型反射シートがそれぞれ９９．７％、９６．８％、８９．６％である反面、本発明の反射シートは１００％を有するので、相対的な輝度比較値が高いことが確認できる。
又、８１個のマッピングポイント対比４９個のマッピングポイントの平均輝度面において、第１拡散型反射シート、第２拡散型反射シート、及び積層型反射シートがそれぞれ２４５２［ｍｃｄ］、２４１６［ｍｃｄ］、２２３５［ｍｃｄ］である反面、本発明の反射シートは２４９５［ｍｃｄ］なので、平均輝度値が高いことが確認できる。
【００４４】
又、８１個のマッピングポイント対比２５個のマッピングポイントの平均輝度面において、第１拡散型反射シート、第２拡散型反射シート、及び積層型反射シートがそれぞれ２８００［ｍｃｄ］、２７６０［ｍｃｄ］、２５１６［ｍｃｄ］である反面、本発明の反射シートは２８２０［ｍｃｄ］なので、平均輝度値が高いことが確認できる。
又、輝度の最高値面において、第１拡散型反射シート、第２拡散型反射シート、及び積層型反射シートがそれぞれ３０３４［ｍｃｄ］、２９８９［ｍｃｄ］、２８１５［ｍｃｄ］である反面、本発明の反射シートは３０６７［ｍｃｄ］なので、輝度の最高値が高いことが確認できる。
【００４５】
以下では、本発明による反射シートが採用されるバックライトアセンブリや液晶表示装置の実施例を説明する。
（バックライトアセンブリの実施例１）
図２１は、本発明の一実施例によるバックライトアセンブリの分解斜視図である。
図２１を参照すると、本発明の一実施例によるバックライトアセンブリ１００は、光発生部１１０、導光板１２０、逆プリズムフィルム１３０、及び反射シート１４０を含む。
【００４６】
前記光発生部１１０は、ランプ１１２、ランプカバー１１４、第１及び第２ワイヤ１１５、１１６、及びコネクタ１１８を含み、前記コネクタ１１８を通じて提供される電源電圧を第１及び第２ワイヤ１１５、１１６のそれぞれを通じて前記ランプ１１２に印加して、光を発散する。前記ランプカバー１１４は前記ランプ１１２を囲みながら、一端を通じて前記反射シート１４０の一部をカバーする。前記反射シート１４０は、前記図４及び図５で説明したように、中空粒子がコーティングされ拡散性と反射性が向上された反射シートである。
【００４７】
前記導光板１２０は、前記逆プリズムフィルム１３０と反射シート１４０との間に配置され、前記反射シート１４０に対向する面には、前記ランプ１１２の延長方向と垂直な方向に延長された多数のプリズムが形成され、前記光発生部１１０から提供される光の経路と、前記反射シート１４０から提供される光の経路をガイドして、前記逆プリズムフィルム１３０に提供する。
【００４８】
特に、前記導光板１２０に形成されたプリズムの場合、前記ランプ１１２に近接する部分については、頂の断面がラウンド形状又は放物線形状であることが好ましい。一例として、前記ランプ１１２に近いプリズムは、曲率半径が最大である放物線形状を有し、前記ランプ１１２から離れるほど、漸次減少する曲率半径の放物線形状を有することが好ましい。
【００４９】
前記逆プリズムフィルム１３０は、前記導光板１２０の上部（又は、出射面）に配置され、前記導光板１２０によってガイドされた光を集光及び拡散させて、光の輝度特性を制御する。前記逆プリズムフィルム１３０に形成されたプリズムの形成方向は、前記ランプ１１２の延長方向とほぼ平行である。
前記反射シート１４０は前記導光板１２０の下部に配置され、前記導光板１２０から漏洩する光を前記導光板１２０に反射する。本発明では、フレキシブルタイプの反射シートを図示したが、リジッドタイプの反射板も可能である。
【００５０】
このように、エッジ型バックライトアセンブリに採用される導光板の背面、即ち、反射シートに対向する光反射面にランプ１１２の長手方向と垂直に形成された多数のプリズムを形成し、前記ランプ１１２に近接する部分については、プリズムの頂をラウンド処理することによって、前記導光板１２０の入光部の角部分で輝線が発生することを抑制することができる。
【００５１】
図２２は、図２１に図示された導光板の光ガイド方法を図式的に説明するための図である。
図２１及び図２２を参照すると、ランプ１１２から提供される第１光Ｉは、前記導光板１２０の入射面に入射され、入射された第１光の経路は第１ガイドされ、前記導光板１２０の光出射面を通じて出射する。
【００５２】
前記第１ガイドされた第１光の一部は、前記導光板１２０の反射面を通じて漏洩される。前記漏洩光のうちの一部である第２光ＩＩは、前記反射シート１４０によって前記導光板１２０に第１拡散透過され、第２ガイド過程を通じて前記導光板１２０の光出射面を通じて出射する。前記漏洩光のうちの残りである第３光ＩＩＩは、前記反射シート１４０によって前記導光板１２０に第２拡散透過され、第３ガイド過程を通じて前記導光板１２０の光出射面を通じて出射される。前記第２拡散透過による拡散程度は、前記第１拡散透過による拡散程度より大きい。
（バックライトアセンブリの実施例２）
図２３は、本発明の他の実施例によるバックライトアセンブリの分解斜視図である。
【００５３】
図２３を参照すると、本発明の他の実施例によるバックライトアセンブリ２００は、光を発生する光源２１０、前記光源２１０から入射された光をガイドして、特定方向に出射させる導光板２２０、前記光源２１０と導光板２２０を収納する収納容器２３０、及び前記導光板２２０から漏洩される光を反射するための反射シート２４０を含む。前記反射シート２４０は、前記図４及び図５で説明したように、中空粒子がコーティングされ拡散性と反射性が向上された反射シートである。
【００５４】
前記光源２１０は、点光源の形態を有する複数の発光ダイオード（ＬＥＤ：Light Emitting Diode）で構成され、前記導光板２２０の一側面に配置され光を発生する。
前記導光板２２０は、前記光源２１０から発生された光が入射される入射面、前記入射面の一端部から垂直に延在する出射面、及び前記入射面の他端部から延在する反射面を含む。
【００５５】
前記反射シート２４０は、前記導光板２２０の反射面と前記収納容器２３０との間に配置され、前記反射面に漏洩される光を更に前記導光板２２０側に反射させる。前記反射シート２４０は、前記反射面と対応するサイズを有するように形成される。
又、前記バックライトアセンブリ２００は、前記導光板２２０の出射面の上部に配置され、前記出射面から出射される光の光学特性を向上させるための複数の光学シート２５０を更に含む。前記複数の光学シート２５０は、光の拡散のための拡散シート又は光の集光のための少なくとも１枚の集光シートで構成され、前記出射面から出射される光の輝度及び視野角特性を向上させる役割を行う。
【００５６】
本発明による光学フィルムを有するバックライトアセンブリを採用する多様な液晶表示装置の例について、添付図面を参照して説明する。
（液晶表示装置の実施例１）
図２４は、本発明の一実施例による液晶表示装置の分解斜視図である。
図２４を参照すると、本発明の一実施例による液晶表示装置３００は、ランプ３３０から発生された光を調節する光調節部３２０、及び前記光調節部３２０によって通過した光を偏光する偏光板（図示せず）、及び前記偏光板を通じて偏光された光を利用して、画像を表示する液晶パネル３６０を含む。前記液晶パネル３６０は、カラーフィルター基板３６２、ＴＦＴ基板３６４、ソース印刷回路基板（ＰＣＢ）３７０、ソースドライバー３６６、及びゲートドライバー３６８を含む。
【００５７】
前記ランプ３３０は、ＣＣＦＬ、ＬＥＤ、ＥＥＦＬ（外部電極冷陰極管：External Electrode Fluorescent Lamp）等の多様な光源が使用されることができる。
前記光調節部３２０は、前記ランプ３３０から発生する光を調節して、前記液晶パネル３６０に調節された光を供給するまでの一連の役割を行うフィルム又は板の集合である。
前記導光板３２２の側面に位置した前記ランプ３３０から発生された光は、前記導光板３２２とその下部の反射シート３２１を通じて前記拡散フィルム３２３に出射される。前記拡散フィルム３２３は、入射された光を拡散して逆プリズムフィルム３２４に出射する。前記逆プリズムフィルム３２４は、前記拡散フィルム３２３から入射された光を正面方向に収束させて、前記液晶パネル３６０に出射する。前記反射シート３２１は、前記図４及び図５で説明したように、中空粒子がコーティングされ拡散性と反射性が向上された反射シートである。
【００５８】
前記逆プリズムフィルム３２４のプリズムが導光板３２２に向かうように位置させ、前記逆プリズムフィルム３２４のプリズム形成方向（又は、プリズムの長軸方向）と導光板３２２の背面に形成されたプリズムパターン形成方向は、互いに直交することが好ましい。
（液晶表示装置の実施例２）
図２５は、本発明の他の実施例による液晶表示装置の分解斜視図である。
【００５９】
図２５を参照すると、本発明の更に他の実施例による液晶表示装置４００は、ランプ４３０から発生された光を調節する光調節部４２０、前記光調節部４２０によって通過した光を偏光する偏光板（図示せず）、及び前記偏光板を通じて偏光された光を利用して画像を表示する液晶パネル４６０を含む。前記液晶パネル４６０は、カラーフィルター基板４６２、ＴＦＴ基板４６４、ソースＰＣＢ４７０、ソースドライバー４６６、及びゲートドライバー４６８を含む。
【００６０】
前記ランプ４３０は、ＣＣＦＬ、ＬＥＤ、ＥＥＦＬ等の多様な光源が使用されることができる。
前記光調節部４２０は、前記ランプ４３０から発生する光を調節して、前記液晶パネル４６０に調節された光を供給するまでの一連の役割を行うフィルム又は板の集合である。
前記液晶パネル４６２の背面に平行に位置した複数のランプ４３０から発生された光は、直接前記拡散フィルム４２３に入射されるか、前記反射シート４２１を通じて拡散フィルム４２３に入射される。前記拡散フィルム４２３は、入射された光を拡散して逆プリズムフィルム４２４に出射し、前記逆プリズムフィルム４２４は、拡散フィルム４２３から入射された光を正面方向に収束させる。前記反射シート４２１は、前記図４及び図５で説明したように、中空粒子がコーティングされ拡散性と反射性が向上された反射シートである。
【００６１】
前記逆プリズムフィルム４２４のプリズムが、前記拡散フィルム４２３に向かうように位置させ、前記逆プリズムフィルム４２４のプリズム形成方向（又は、プリズムの長軸方向）とランプ４３０の延長方向は、互いに平行にすることが好ましい。
又、前記ランプ４３０の上部領域は、前記ランプ４３０の間の上部領域より入射される光の強度が相対的に大きい。従って、全体的な輝度の均一性のために、前記逆プリズムフィルム４２４に形成されたプリズムの傾斜角度は、ランプと一定関係を有することもできる。即ち、前記ランプ４３０の上部領域に対応する領域には、平均的により大きい傾斜角度を有するプリズムを形成し、前記ランプ４３０の間の上部領域に対応する領域には、平均的により小さい傾斜角度を有するプリズムを形成することができる。
（液晶表示装置の実施例３）
図２６は、本発明の更に他の実施例による液晶表示装置の分解斜視図である。
【００６２】
図２６を参照すると、本発明の更に他の実施例による液晶表示装置５００は、ランプ５３０、光調節部５２０、及び液晶パネル５６０を含む。前記光調節部５２０は、導光板５２２、反射シート５２１、及び逆プリズムフィルム５２３を含む。前記ランプ５３０から発生された光は、導光板５２２及び反射シート５２１によって逆プリズムフィルム５２３に提供される。前記逆プリズムフィルム５２３は、光を集光及び拡散させ、液晶パネル５６０は、前記集光及び拡散された光を利用して画像を表現する。前記液晶パネル５６０は、カラーフィルター基板５６２、ＴＦＴ基板５６４、ソースＰＣＢ５７０、ソースドライバー５６６、及びゲートドライバー５６８を含む。前記反射シート５２１は、前記図４及び図５で説明したように、中空粒子がコーティングされ拡散性と反射性が向上された反射シートである。
【００６３】
前記ランプ５３０は、ＣＣＦＬ、ＬＥＤ、ＥＥＦＬ等の多様な光源が使用されることができる。
前記導光板５２２は一側面にプリズムパターンが形成されており、反射シート５２１及び導光板５２２の一側面に形成されたプリズムは、前記ランプ５３０から発生された光を導光板５２２の面に対して垂直方向に収束させて出射する。出射された光は、逆プリズムフィルム５２３によって入射される。前記逆プリズムフィルム５２３は、前記導光板５２２によって入射された光を更に収束させて前記液晶パネル５６０に出射する。
【００６４】
前記プリズムフィルム５２３のプリズムが前記導光板５２２に対向するように位置させて、前記プリズムフィルム５２３のプリズム形成方向（又は、プリズムの長軸方向）と前記導光板５２２の背面に形成されたプリズムパターンの形成方向は、互いに直交することが好ましい。このとき、導光板の背面に形成されたプリズムは、ランプから出射された光の経路をガイドしながら、ランプの長手方向に拡散される光を相対的に正面方向に集光させる機能を行う。また、導光板上に配置されたプリズムシートに形成されたプリズムは、導光板の背面に形成されたプリズムの形成方向に拡散される光を相対的に正面方向に集光させる機能を行う。従って、プリズムシートを通じて出射される光は、実質的にプリズムシートの平面に対応して集光された光となる。
（液晶表示装置の実施例４）
図２７は、本発明の更に他の実施例による液晶表示装置の分解斜視図である。
【００６５】
図２７を参照すると、本発明の更に他の実施例による液晶表示装置６００は、光を提供するためのバックライトアセンブリ２００、前記バックライトアセンブリ２００から供給された光を利用して画像を表示するディスプレイユニット６２０、及び前記ディスプレイユニット６２０を前記バックライトアセンブリ２００に固定するためのトップシャーシ６３０を含む。
【００６６】
前記バックライトアセンブリ２００は、収納容器を除いた構成要素が図２３に図示された本発明の他の実施例によるバックライトアセンブリを同じ構成を有するので、その重複説明は省略する。
前記収納容器２６０は、ボトムシャーシ２６２とモールドフレーム２６４で構成される。前記モールドフレーム２６４は、前記光源２１０及び前記導光板２２０の収納位置をガイドするために、４個の側壁で構成され、底面は開口される形状を有する。前記ボトムシャーシ２６２は、底面及び前記底面から延長された４個の側壁で構成され、前記モールドフレーム２６４とフック締結等の方式で結合される。
【００６７】
このような前記収納容器２６０には、反射シート２４０、光吸収層２５０、光源２１０、導光板２２０、及び複数の光学シート２５０が順次に実装される。
一方、前記ディスプレイユニット６２０は、前記バックライトアセンブリ２００の上部に実装され、前記バックライトアセンブリ２００から供給される光を利用して画像を表示する。
【００６８】
具体的に、前記ディスプレイユニット６２０は、液晶パネル６２４、駆動チップ６２６、及び延性回路部６２８を含む。
前記液晶パネル６２４は、第１基板、前記第１基板と対向して結合される第２基板、及び前記第１基板と第２基板との間に介在される液晶層（図示せず）で構成される。
前記第１基板の少なくとも一側には、前記データライン及び前記ゲートラインに駆動信号を印加するための駆動チップ６２６が実装される。前記駆動チップ６２６は、データライン用チップとゲートライン用チップとに分離された２個以上のチップで構成されるか、これらを統合した一つのチップで構成されることができ、ＣＯＧ工程によって前記第１基板の一側に実装される。
【００６９】
又、前記駆動チップ６２６が実装された前記第１基板の一側には、前記駆動チップ６２６を制御するための制御信号を印加する延性回路部６２８が付着される。前記延性回路部６２８は、駆動信号のタイミングを調節するためのタイミングコントローラやデータ信号を保存するためのメモリ等が実装され、異方性導電フィルムを介して前記第１基板と電気的に連結される。
【００７０】
図２８は、本発明の更に他の実施例による液晶表示装置の分解斜視図であり、図２９は、図２８に図示された反射シートを示す部分拡大図である。
図２８及び図２９を参照すると、表示装置７００は、表示パネルアセンブリ７１０、前記表示パネルアセンブリ７１０にそれぞれ光を供給する第１及び第２バックライトアセンブリ７２０、７３０、トップシャーシ７４０、モールドフレーム７５０、及びボトムシャーシ７６０を含む。
【００７１】
前記表示パネルアセンブリ７１０は、メイン表示パネル７１１、サブ表示パネル７１２、第１印刷回路基板７１３、第２印刷回路基板７１４、及び集積回路チップ７１５を含む。
前記メイン表示パネル７１１は、前記サブ表示パネル７１２より大きい。前記表示装置７００は、フォルダ型携帯電話用に使用されることができる。この際、前記メイン表示パネル７１１は、携帯電話のフォルダの内面に位置し、前記サブ表示パネル７１２は、携帯電話のフォルダの外面に位置する。従って、フォルダを閉じた状態では、画面のサイズが小さいサブ表示パネル７１２を通じて、時間等の比較的少ない量の情報を接することができ、相手と通話する場合には、フォルダを開けて画面のサイズが大きいメイン表示パネル７１１で比較的多い量の情報を接することができる。
【００７２】
このように、前記サブ表示パネル７１２が前記メイン表示パネル７１１と比較してサイズが小さいので、これらのそれぞれに光を供給する第２バックライトアセンブリ７３０は、前記第１バックライトアセンブリ７２０に対してサイズが小さい。
図２８には、前記メイン表示パネル７１１とサブ表示パネル７１２が互いに対向する表示装置を図示したが、これは本発明による表示装置の構造及び配置を例示したもので、本発明がここに限定されるものではない。従って、表示装置の構造及び配置は、多様に変形されることができる。
【００７３】
図２８には２個の表示パネルが図示されているが、これは、本発明を例示するためのものであり、本発明がここに限定されるものではない。従って、２個以上、即ち、少なくとも２個の表示パネルを含めば良い。又、図２８には、表示パネル７１１、７１２として２個の液晶表示パネルを図示したが、これは、本発明に使用される表示パネルを例示するためのものであり、本発明がここに限定されるものではない。従って、少なくとも一つの液晶表示パネルを含めば良く、他の受光型表示パネルを使用しても良い。
【００７４】
以下では、液晶表示パネルであるメイン表示パネル７１１の内部構造について説明する。サブ表示パネル７１２の構造は、メイン表示パネル７１１の構造と同じなので、その詳細な説明は省略する。
前記メイン表示パネル７１１の下部に位置したＴＦＴ基板７１１ｂは、マトリックス状の薄膜トランジスタが形成されている透明なガラス基板であり、ソース端子にはデータラインが連結され、ゲート端子にはゲートラインが連結されている。そして、ドレイン端子には、導電性材質として透明なＩＴＯからなる画素電極が形成される。
【００７５】
前記メイン表示パネル７１１のデータライン及びゲートラインに前記メイン印刷回路基板７７０から電気信号を入力すると、ＴＦＴのソース端子とゲート端子に電気的な信号が入力され、これらの電気的な信号の入力によって前記ＴＦＴはターンオン又はターンオフされ、画素の形成に必要な電気信号がＴＦＴのドレイン端子に出力される。
一方、ＴＦＴ基板７１１ｂに対向して、その上にカラーフィルター基板７１１ａが配置される。前記カラーフィルター基板７１１ａは、光が通過しながら所定の色が発現される色画素であるＲＧＢ画素が薄膜工程によって形成された基板であって、全面にＩＴＯからなる共通電極が塗布されている。前記ＴＦＴのゲート端子及びソース端子に電源が印加され薄膜トランジスタがターンオンされると、画素電極とカラーフィルター基板の共通電極の間に電界が形成される。このような電界によって、前記ＴＦＴ基板７１１ｂとカラーフィルター基板７１１ａの間に注入された液晶の配列角が変化され、変化された配列角によって光透過度が変更され、所望する画素が得られる。前記ＴＦＴ基板７１１ｂとカラーフィルター基板７１１ａの外部両面には、偏光板（図示せず）が付着されている。
【００７６】
前記メイン表示パネル７１１の液晶の配列角と液晶が配列される時期を制御するために、集積回路チップ７１５がＴＦＴのゲートラインとデータラインに駆動信号及びタイミング信号を印加する。前記集積回路チップ７１５は、前記ＴＦＴ基板７１１ｂ上に付着され、保護膜７１６で取り囲まれる。前記集積回路チップ７１５は、前記メイン表示パネル７１１を駆動するための信号であるデータ信号、ゲート駆動信号、そしてこれらの信号を適切な時期に印加するための複数のタイミング信号を発生させて、ゲート駆動信号及びデータ信号をそれぞれ前記メイン表示パネル７１１のゲートライン及びデータラインに印加する。これと同じ方法で、前記サブ表示パネル７１２は、第２印刷回路基板７１４を通じて前記メイン印刷回路基板７７０から駆動信号の伝達を受けて、更に他の集積回路を通じて伝達する。
【００７７】
前記第１印刷回路基板７１３に信号を伝送するメイン印刷回路基板７７０には、多数の抵抗素子７７０３が実装されており、端部には携帯電話コネクタ７７０１が実装されている。前記第１印刷回路基板７１３は、前記メイン表示パネル７１１と印刷回路基板７７０を連結する。図２８では、図示上の便宜のために、第１回路基板７１３を切って図示したが、実際には連結されている。
【００７８】
前記メイン表示パネル７１１とサブ表示パネル７１２との間には、両表示パネル７１１、７１２に均一な光をそれぞれ提供しながら、互いに接している第１バックライトアセンブリ７２０及び第２バックライトアセンブリ７３０が具備されている。
前記第１バックライトアセンブリ７２０及び第２バックライトアセンブリ７３０は、モールドフレーム７５０に収納される。前記第２バックライトアセンブリ７３０は、前記第１バックライトアセンブリ７２０とサイズのみが異なり、その構造は類似である。図２８では、２個のバックライトアセンブリを図示したが、これは本発明を例示するためのもので、本発明がここに限定されるものではない。従って、バックライトアセンブリを１個のみ使用して両表示パネルに光を供給することもできる。
【００７９】
前記第１バックライトアセンブリ７２０は、光を放出する第１光源７８２、前記第１光源７８２から放出された光をガイドする第１導光板７２２、光を反射させる第１反射シート７２４、そして光の輝度を向上させて前記第１バックライトアセンブリ７２１に供給する第１光学シート７２６を含む。
図２８には、光源として基板７８６上に実装された発光ダイオード（ＬＥＤ）７８２を図示したが、これは本発明を例示したものである。従って、光源としてランプ等の他の光源が使用されることができ、発光ダイオードをモジュール化した線光源及び面光源も使用されることができる。又、発光ダイオードの数を３個に図示したが、必要によって発光ダイオードの数を多様に形成することができる。
【００８０】
基板７８６は、前記メイン印刷回路基板７７０と連結され光源制御信号の印加を受けて、光源７８２を駆動する。第１バックライトアセンブリ７２０と類似な構造を有する第２バックライトアセンブリ７３０は、第２光源７８４、第２導光板７３２、第２反射シート７３４、及び第２光学シート７３６を含む。
モールドフレーム７５０上には、第１光源７８２が実装された基板７８６が収納固定され、前記表示パネルアセンブリ７１０及びバックライトアセンブリ７００ａ、７００ｂが固定支持される。
【００８１】
前記表示パネルアセンブリ７１０の上部及び下部には、それぞれトップシャーシ７４０及びボトムシャーシ７６０が具備され、モールドフレーム７５０の側面に結合されることによって、表示装置７００を定義する。前記モールドフレーム７５０を収納するボトムシャーシ７６０の下部は、メイン印刷回路基板７７０でカバーされている。
本発明の一実施例による表示装置７００では、前記第１反射シート７２４及び第２反射シート７３４のうち、少なくとも一つの反射シートとしてハイブリッド（ＨＢ）型反射シートを使用する。前記ハイブリッド型反射シートは、多層構造の反射シートとして、各層の固有の性質を利用して、反射シートに入射される大部分の光を反射させる。特に、前記ハイブリッド型反射シートは、遮光シートの役割を代理するので、別の遮光シートを必要としない。従って、表示装置に使用される部品数を減少させることができるのみならず、表示装置の厚さを最小化して、表示装置の軽薄短小化を達成することができる。
【００８２】
図２８及び図２９に図示した表示装置７００では、第１反射シート７２４として一般的に使用されるＥＳＲシートを使用し、第２反射シート７３４としてハイブリッド型反射シートを使用する。このような反射シートの採択は、本発明を例示するためのもので、本発明がここに限定されるものではない。従って、第１反射シート７２４としてハイブリッド型反射シートを使用し、第２反射シート７３４としてＥＳＲシートを使用するか、第１反射シート７２４及び第２反射シート７３４としてハイブリッド型反射シートを使用することができる。
【００８３】
サブ表示パネル７１２が表示装置７００の下部に位置するので、第２反射シート７３４は裏返された状態に位置する。このような点を考慮して、以下では便宜上、第２反射シート７３４が裏返されない状態と仮定し、第２反射シート７３４について説明する。
図２８及び図２９に図示した第２反射シート７３４は、ベース層７３４ｂ、及びその上に形成され内部に多数の中空粒子７３４ａ１を含む樹脂層７３４ａを含む。以外に、必要によって他の層を含むことができる。特に、前記ベース層７３４ｂの下には、光反射用金属層７３４ｃが含まれることができ、前記光反射用金属層７３４ｃの下には、保護層７３４ｄが形成されることができる。
【００８４】
樹脂層７３４ａの素材としては、ポリウレタンを使用することができる。前記樹脂層７３４ａは、多数の中空粒子７３４ａ１を含む。前記中空粒子７３４ａ１は、内部に空間が形成された状態に、その外面が透明な樹脂膜で形成される。前記樹脂層７３４ａに入射された光は、多数の中空粒子７３４ａ１に入射されるが、一部光は前記中空粒子７３４ａ１の表面に衝突して反射され、残りの一部光は、前記中空粒子７３４ａ１の内部に透過される。前記樹脂層７３４ａの屈折率と樹脂膜の屈折率が異なるので、光の反射及び透過が重複されながら、前記樹脂層７３４ａで光が拡散反射される。特に、前記中空粒子７３４ａ１の樹脂膜の屈折率とその内部空間の屈折率が異なるので、拡散反射現象がよく行われる。前記中空粒子７３４ａ１の内部空間は、空気で満たされているので、屈折率は１に近い。
【００８５】
前記中空粒子７３４ａ１は、拡散反射に有利になるように、その形状をシリンダー型又は球形で形成する。前記中空粒子７３４ａ１の直径は、光の波長に対応されるように選定される。５５０ｎｍの波長帯を有する緑色光である標準光をλとすると、前記中空粒子７３４ａ１の直径を２．９λ／２〜３．１λ／２に形成することが好ましい。具体的な中空粒子７３４ａ１の直径は、赤色光の場合、６５０ｎｍ、緑色光の場合、５５０ｎｍ、及び青色光の場合、４５０ｎｍ程度にすることができる。前記中空粒子７３４ａ１の外面の厚さを０．４９λ〜０．５１λ程度とすると、拡散反射に有利である。
【００８６】
前記ベース層７３４ｂとしては樹脂素材を使用するが、ポリエチレンテレフタレートをその素材として使用することができる。前記ベース層７３４ｂは、前記樹脂層７３４ａの下に位置して、前記樹脂層７３４ａを支持し、前記樹脂層７３４ａで拡散反射されず、前記樹脂層７３４ａを通過した一部光が入射される。
前記ベース層７３４ｂの下に形成された光反射用金属層７３４ｃは、前記ベース層７３４ｂを通過した光が透過されないように、光を更に反射させて光入射面側に放出する。従って、前記金属層７３４ｃは、光反射効率に優れた銀又はアルミニウムをその素材として使用する。このように、前記金属層７３４ｃを前記ベース層７３４ｂの下に形成することによって、前記第２反射シート７３４に入射される大部分の光を反射させて、内部で損失される光の量を最小化することができる。前記保護層７３４ｄは、前記光反射用金属層７３４ｃの下に形成され、前記光反射用金属層７３４ｃを含む第２反射シート７３４が損傷されないように保護する。
【００８７】
図３０は、図２８に図示された液晶表示装置の結合斜視図であって、特に、図２８に図示した表示装置７００の全ての内部部品を結合して示す。
図３０に図示した表示装置７００は、本発明による新しい構造の反射シートを具備しているので、光の輝度を向上させて、表示パネルに鮮明な画像を具現することができる。又、新しい構造の反射シートを利用して、光が漏れる現象を防止することができるので、駆動されない他側の表示パネルへは光が全く放出されず、駆動中である表示パネルへのみ光が放出される。
【００８８】
図３１は、図３０に図示された表示装置をＩ−Ｉ’に沿って切断した部分断面図であり、図３２は、図３１に図示されたＡ領域の拡大図である。特に、上から順序に、メイン表示パネル７１１、第１バックライトアセンブリ７２０、第２バックライトアセンブリ７３０、及びサブ表示パネル７１２を設けて、光源から放出された光が反射される状態を示す図である。
【００８９】
図３１及び図３２を参照すると、第１バックライトアセンブリ７２０に含まれた第１反射シート７２４と第２バックライトアセンブリ７３０に含まれた第２反射シート７３４は、互いに接触している。前記第２反射シート７３４が遮光シートの役割を果たすので、第１光源から放出され前記第１反射シート７２４で反射されず、前記第１反射シート７２４を通過する光も、前記第２反射シート７３４によって反射される。従って、前記表示装置７００で別の遮光シートを使用する必要がない。
【００９０】
図３２に示すように、第２光源から放出される光は、前記第２反射シート７３４の各層のうち、樹脂層７３４ａに最初に入射される。このように入射された光は、前記樹脂層７３４ａを通過しながら拡散反射される。前記樹脂層７３４ａの内部には、多数の中空粒子７３４ａ１が形成されているので、光の拡散反射に有利である。前記樹脂層７３４ａを通過して進行する光は、前記光反射金属層７３４ｃによって反射されるので、前記第２反射シート７３４を利用すると、光の損失なしに前記第２反射シート７３４に入射される光の大部分を反射させることができる。
【産業上の利用可能性】
【００９１】
以上で説明したように、本発明によると、金属蒸着フィルム上に微細な中空粒子をポリウレタン樹脂と共にコーティングさせて、拡散性と反射性が向上された光学フィルムを具現する。前記中空粒子は、透明樹脂を利用して、中が空いているビーズ形態であって、透明樹脂と真空層との間の屈折率の差異によって表面で光を反射する。
以上で説明したように、表示装置に含まれた反射シートは、ベース層、及び多数の中空粒子を含む樹脂層を含むので、光を効率的に拡散反射させることができる。
【００９２】
前記反射シートは金属層を更に含むので、樹脂層を通過した光を反射させて、光の損失を最小化することができ、保護層を更に含むので、反射シートの耐久性を向上させることができる。
光源から供給された光が樹脂層に最初に入射されるように、反射シートを配置することによって、光の輝度を増加させてより鮮明な画像を具現することができる。
【００９３】
中空粒子の外面を透明な樹脂膜で形成して、その屈折率を内部空間の屈折率と異なるようにすることによって、反射シートで拡散反射現象をより向上させることができる。
樹脂層の屈折率と樹脂膜の屈折率を異なるようにして、拡散反射効率をより向上させることができる。
又、反射シートが遮光シートの役割を代理するので、表示装置を軽薄短小化することができる。
【００９４】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９５】
【図１】一般的な光学フィルムを示す断面図である。
【図２】一般的な光学フィルムを示す断面図である。
【図３】一般的な光学フィルムを示す断面図である。
【図４】本発明の一実施例による光学フィルムを示す断面図である。
【図５】図４の中空粒子を示す断面図である。
【図６】図４に図示された中空粒子のサイズ及び反射／透過動作を示す図である。
【図７】比較例と本発明による光学フィルムの反射視野角特性を示すグラフである。
【図８】比較例と本発明による光学フィルムの反射視野角特性を示すグラフである。
【図９】比較例と本発明による光学フィルムの反射視野角特性を示すグラフである。
【図１０】比較例と本発明による光学フィルムの反射角特性を示すグラフである。
【図１１】比較例と本発明による光学フィルムの反射角特性を示すグラフである。
【図１２】比較例と本発明による光学フィルムの反射角特性を示すグラフである。
【図１３】比較例と本発明による光学フィルムの垂直方向の反射視野角特性を示すグラフである。
【図１４】比較例と本発明による光学フィルムの垂直方向の反射視野角特性を示すグラフである。
【図１５】比較例と本発明による光学フィルムの垂直方向の反射視野角特性を示すグラフである。
【図１６】比較例と本発明による光学フィルムの水平方向の反射視野角特性を示すグラフである。
【図１７】比較例と本発明による光学フィルムの水平方向の反射視野角特性を示すグラフである。
【図１８】比較例と本発明による光学フィルムの水平方向の反射視野角特性を示すグラフである。
【図１９】輝度測定方法を説明する概念図である。
【図２０】テスト基板上にマッピングされたテストポイントを示す図である。
【図２１】本発明の一実施例によるバックライトアセンブリの分解斜視図である。
【図２２】図２１に図示された導光板の光ガイド方法を図式的に説明するための図である。
【図２３】本発明の他の実施例によるバックライトアセンブリの分解斜視図である。
【図２４】本発明の一実施例による液晶表示装置の分解斜視図である。
【図２５】本発明の他の実施例による液晶表示装置の分解斜視図である。
【図２６】本発明の更に他の実施例による液晶表示装置の分解斜視図である。
【図２７】本発明の更に他の実施例による液晶表示装置の分解斜視図である。
【図２８】本発明の更に他の実施例による液晶表示装置の分解斜視図である。
【図２９】図２８に図示された反射シートを示す部分拡大図である。
【図３０】図２８に図示された液晶表示装置の結合斜視図である。
【図３１】図３０に図示された表示装置をＩ−Ｉ’に沿って切断した部分断面図である。
【図３２】図３１に図示されたＡ領域の拡大図である。
【符号の説明】
【００９６】
４１    ベース層
４２    樹脂層
４３    中空粒子
４４    金属層
４５    保護膜
１１０    光発生部
１２０    導光板
１３０    逆プリズムフィルム
１４０    反射シート
【図１】
2006106736.tif 000004
【図２】
2006106736.tif 000005
【図３】
2006106736.tif 000006
【図４】
2006106736.tif 000007
【図５】
2006106736.tif 000008
【図６】
2006106736.tif 000009
【図７】
2006106736.tif 000010
【図８】
2006106736.tif 000011
【図９】
2006106736.tif 000012
【図１０】
2006106736.tif 000013
【図１１】
2006106736.tif 000014
【図１２】
2006106736.tif 000015
【図１３】
2006106736.tif 000016
【図１４】
2006106736.tif 000017
【図１５】
2006106736.tif 000018
【図１６】
2006106736.tif 000019
【図１７】
2006106736.tif 000020
【図１８】
2006106736.tif 000021
【図１９】
2006106736.tif 000022
【図２０】
2006106736.tif 000023
【図２１】
2006106736.tif 000024
【図２２】
2006106736.tif 000025
【図２３】
2006106736.tif 000026
【図２４】
2006106736.tif 000027
【図２５】
2006106736.tif 000028
【図２６】
2006106736.tif 000029
【図２７】
2006106736.tif 000030
【図２８】
2006106736.tif 000031
【図２９】
2006106736.tif 000032
【図３０】
2006106736.tif 000033
【図３１】
2006106736.tif 000034
【図３２】
2006106736.tif 000035